【手続補正書】
【提出日】平成17年1月28日(2005.1.28)
【手続補正１】
【補正対象書類名】明細書
【補正対象項目名】発明の名称
【補正方法】変更
【補正の内容】
【発明の名称】画像形成装置
【手続補正２】
【補正対象書類名】明細書
【補正対象項目名】特許請求の範囲
【補正方法】変更
【補正の内容】
【特許請求の範囲】
【請求項１】
画像データに基づいて像担持体上に現像剤像を形成する画像形成手段と、
上記像担持体上に形成された画像の画質を検出する検出手段と、
上記像担持体上に形成される画質を調整する複数の操作手段と、
上記検出手段により検出された画質と予め設定された画質との制御量偏差を算出する偏差算出手段と、
上記算出された制御量偏差が所定の許容範囲内にあるか否か判定する判定手段と上記偏差が許容範囲を越えている場合に上記算出された制御量偏差を補正するための操作手段を選択する選択手段と上記選択された操作手段によって上記画質をテスト調整することにより操作手段の操作量に対する制御量偏差の感度を検出する感度検出手段と上記検出した感度に応じて上記対応する操作手段の調整操作量を決定する操作量決定手段と上記決定した操作量に応じて上記対応する操作手段を作動させ上記偏差を補正する手段とを有する制御手段と、
を備えたことを特徴とする画像形成装置。
【請求項２】
画像データに基づいて像担持体上に現像剤像を形成する画像形成手段と、
上記像担持体上に形成された現像剤像の画像濃度を検出する検出手段と、
上記像担持体上に形成される現像剤像の画像濃度を調整する複数の操作手段と、
上記検出手段により検出された画像濃度と予め設定された画像濃度との制御量偏差を算出する偏差算出手段と、
上記算出された制御量偏差が所定の許容範囲内にあるか否か判定する判定手段と上記偏差が許容範囲を越えている場合に上記算出された制御量偏差を補正するための操作手段を選択する選択手段と上記選択された操作手段によって上記画質をテスト調整することにより、操作手段の操作量に対する制御量偏差の感度を検出する感度検出手段と上記検出した感度に応じて上記対応する操作手段の調整操作量を決定する操作量決定手段と上記決定した操作量に応じて上記対応する操作手段を作動させ上記偏差を補正する手段とを有する制御手段と、
を備えたことを特徴とする画像形成装置。
【請求項３】
前記制御手段は、さらに全ての偏差が許容範囲に収束するまで上記判定、操作手段の選択、感度検出、操作量決定、および補正を繰り返すことを特徴とする請求項１または２に記載の画像形成装置。
【請求項４】
上記制御手段は、上記各操作手段の操作量と上記制御量偏差との依存関係から上記操作量の優先順位を示す調整ルールを作製する調整ルール生成手段を有し、上記選択手段は、上記調整ルールに従って操作手段を選択することを特徴とする請求項１ないし３のいずれか１項に記載の画像形成装置。
【請求項５】
グリッドを用いて像担持体を帯電する帯電手段と、
上記グリッドにグリッドバイアス電圧を印加する第１の印加手段と、
高濃度のテストパターンと前記高濃度テストパターンの濃度より低い低濃度のテストパターンとを発生する発生手段と、
上記帯電手段により帯電された像担持体上に上記発生手段により発生される高濃度のテストパターンと低濃度のテストパターンとに基づいて潜像を形成する潜像形成手段と、
上記潜像形成手段で形成された上記像担持体上の潜像を現像剤で現像する現像手段と、
上記現像手段に現像バイアス電圧を印加する第２の印加手段と、
上記テストパターンを上記像担持体上に形成する際、露光部電位と現像バイアス電圧値の関係であるコントラスト電圧と、未露光部電位と現像バイアス電圧値の関係である背景電圧と、を保持する保持手段と、
上記現像手段により上記像担持体上に現像された高濃度のテストパターンに対する現像剤の付着量の高濃度部と低濃度のテストパターンに対する現像剤の付着量の低濃度部とを計測する現像剤付着量計測手段と、
前記高濃度部および前記低濃度部の付着量に対する目標値を設定する設定手段と、上記設定手段により設定された前記高濃度部および前記低濃度部の付着量に対する目標値と、前記高濃度部および前記低濃度部の現像剤の付着量とにより、前記高濃度部および前記低濃度部の偏差を算出する偏差算出手段と、
上記算出手段により算出された前記高度部と前記低濃度部の偏差が許容範囲内であるか否かを判定する判定手段と上記偏差が許容範囲を越えている場合に第１および第２の印加手段から上記検出された偏差を補正するための印加手段を選択する選択手段と上記選択された印加手段によって上記グリッドバイアス値あるいは現像バイアス値をテスト調整することにより印加手段の調整操作量に対する制御量偏差の感度を検出する感度検出手段と上記検出した感度に応じて上記対応する印加手段の調整操作量を決定する操作量決定手段と上記決定した操作量に応じて上記対応する印加手段によりグリッドバイアス値あるいは現像バイアス値を調整して前記高濃度部および前記低濃度部の偏差に対するコントラスト電圧および背景電圧を補正する手段とを有し全ての偏差が許容範囲に収束するまで上記判定、操作手段の選択、感度検出、操作量決定、および補正を繰り返す制御手段と、
を備えたことを特徴とする画像形成装置。
【請求項６】
上記現像剤付着量計測手段が、前記高濃度部の反射光量、前記低濃度部の反射光量、および像担持体からの反射光量を計測するものであることを特徴とする請求項５に記載の画像形成装置。
【請求項７】
上記操作手段は、グリッドバイアス電圧を変更した後、所定時間経過後に現像バイアス電圧を変更するようにしたものであることを特徴とする請求項５に記載の画像形成装置。
【請求項８】
上記制御手段は、上記各操作手段の操作量と上記制御量偏差との依存関係から上記操作量の優先順位を示す調整ルールを作製する調整ルール生成手段を有し、上記選択手段は、上記調整ルールに従って操作手段を選択することを特徴とする請求項５ないし７のいずれか１項に記載の画像形成装置。
【請求項９】
高濃度のテストパターンおよび前記高濃度テストパターンの濃度より低い低濃度のテストパターンをそれぞれ発生するパターン発生手段と、
像担持体上に上記パターン発生手段から発生する前記高濃度のテストパターンおよび前記低濃度のテストパターンに基づいて潜像を形成し、目標露光量情報に応じて露光量が制御可能な露光手段と、
上記露光手段で形成された上記像担持体上の前記高濃度のテストパターンおよび前記低濃度のテストパターンの潜像を現像剤で現像する現像手段と、
上記現像手段の現像により上記像担持体上に付着した前記高濃度のテストパターンおよび前記低濃度のテストパターンに対する現像剤の付着量をそれぞれ計測する現像剤付着量計測手段と、
上記画像データの単位画素当りの階調データに対し、単位画素当りの発光時間を発光時間補正情報に基づき補正する発光時間補正手段と、
上記発光時間補正手段で補正された発光時間情報に基づき単位画素当りのパルス幅として上記露光手段の変調制御を行なう変調制御手段と、
上記現像剤付着量計測手段で計測された前記高濃度部および前記低濃度部の各計測値と予め設定されるそれぞれの目標値との偏差をそれぞれ算出する偏差算出手段と、
上記偏差算出手段で算出された各偏差がそれぞれ許容範囲内にあるか否かを判定する判定手段と上記判定手段により許容範囲内にないと判定された場合上記発光時間補正手段および変調制御手段から上記算出された偏差を補正するための手段を選択する選択手段と上記選択された発光時間補正手段および変調制御手段によって上記現像剤付着量をテスト調整することにより調整操作量に対する偏差制御量の感度を検出する感度検出手段と上記検出した感度に応じて上記発光時間補正手段および変調制御手段の調整操作量を決定する操作量決定手段と上記決定した操作量に応じて上記発光時間補正手段および変調制御手を作動させ上記偏差を補正する手段とを有し全ての偏差が許容範囲に収束するまで上記判定、操作手段の選択、感度検出、操作量決定、および補正を繰り返す制御手段と、
を備えたことを特徴とする画像形成装置。
【手続補正３】
【補正対象書類名】明細書
【補正対象項目名】０００２
【補正方法】変更
【補正の内容】
【０００２】
【発明の属する技術分野】
この発明は、たとえばカラーレーザプリンタやカラーデジタル複写機などの電子写真式の画像形成装置に関する。
【手続補正４】
【補正対象書類名】明細書
【補正対象項目名】０００７
【補正方法】変更
【補正の内容】
【０００７】
そこで、比較的容易にかつ短時間で画質制御を行うことができ、開発効率の向上、メモリ容量の低減による製造コストの低減、更に、固体間差、再現性、経年変化に応じて適切な画質維持が可能な画像形成装置を提供することを目的とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】０２５６
【補正方法】変更
【補正の内容】
【０２５６】
【発明の効果】
以上詳述したようにこの発明によれば、比較的容易にかつ短時間で画像濃度の最適な制御を行うことができ、開発効率の向上、メモリ容量の低減による製造コストの低減、更に、固体間差、再現性、経年変化に応じて適切な画質維持が可能な画像形成装置を提供することができる。